(57)【要約】【課題】簡易な構造で、患部に確実に巻付け固定することができ、患部の部位、大きさ又は形等が変わっても柔軟に対応でき、複数の部材、複数の工程を要せず手間がかからず使い勝手に優れ、表面が膨れることもない患部固定材を得る。【解決手段】内側方向に可撓性を有するシート又はフィルム状で中部と周辺部とよりなる基部と、前記基部の中部内側面上に縦方向に左右間隔をおいて固着されたプラスチック製の細幅縦筋状の補強部と、前記補強部及び前記基部の周辺部の各内側面上に渡って粘着されている表面部とを備え、左右方向には柔軟に変形可能で且つ上下方向には剛性を有する患部固定材。【選択図】                図１
2004261398.tif 000002
【特許請求の範囲】
【請求項１】
内側方向に可撓性を有するシート又はフィルム状で中部と周辺部とよりなる基部と、前記基部の中部内側面上に縦方向に左右間隔をおいて固着されたプラスチック製の細幅縦筋状の補強部と、前記補強部及び前記基部の周辺部の各内側面上に渡って粘着されている表面部とを備え、左右方向には柔軟に変形可能で且つ上下方向には剛性を有することを特徴とする患部固定材。
【請求項２】
表面部は補強部内側面上に粘着される補強部粘着剤層、基部の周辺部内側面上に粘着される基部粘着剤層及び前記補強部粘着剤層と前記基部粘着剤層を被覆する剥離紙よりなり、所定形状の板状とされていることを特徴とする請求項１に記載の患部固定材。
【請求項３】
基部として中部と周辺部に加えて該周辺部の上端に連設され幅狭の把手状に突出する先端部を設け、前記先端部内側面上に前記基部の周辺部から渡って粘着されている表面部を備えていることを特徴とする請求項１又は２に記載の患部固定材。
【請求項４】
表面部は補強部内側面上に粘着される補強部粘着剤層及び基部の周辺部内側面上に粘着される基部粘着剤層のみよりなり、基部を外面側において巻芯回りにロール状に巻取られていることを特徴とする請求項１に記載の患部固定材。
【請求項５】
基部と補強部との固着は、中部の内側面上に接着剤層を介しての接着又は一体成形によりなされていることを特徴とする請求項１〜４のいずれかに記載の患部固定材。
【発明の詳細な説明】
【０００１】
【発明の属する技術分野】
本発明は、骨折、腱鞘炎、捻挫等の怪我が発生したとき又は手術部位等において、患部周辺を固定するのに用いられる患部固定材の改良に関する。
【０００２】
【従来の技術】
骨折、腱鞘炎、ばね指、捻挫等の怪我が発生したとき又は手術部位等の患部周辺を一時的に固定して治療するために、指、腕、脚その他の患部に鎮痛消炎剤を含む湿布その他の薬剤を塗布し、副木を当てテープを巻付け、必要により更に包帯を外側に巻付けていた。又水が加えられた石膏が固形化するのを利用したギブス包帯を巻付け硬化後乾燥して固定していた。
【０００３】
【発明が解決しようとする課題】
前記従来の技術においては、患部を固定するのに複数の部材を用い、複数の工程を経なければならず、手間がかかり、多様な患部に緊急に対処するため予め準備しておくのが煩わしく、使い勝手が悪いものであった。又表面が膨れ、防水が不十分で日常生活の支障となることが多かった。
これに対し本発明は、簡易な構造で、患部に確実に巻付け固定することができ、患部の部位、大きさ又は形等が変わっても柔軟に対応でき、複数の部材、複数の工程を要せず手間がかからず使い勝手に優れ、表面が膨れることもない患部固定材を得ることを目的とする。
又水を使用するとき患部に侵入することを防止し日常生活の支障となることのない患部固定材を得ることを目的とする。
【０００４】
【課題を解決するための手段】
本発明は、前記目的を達成するために、
請求項１の発明にあっては、内側方向に可撓性を有するシート又はフィルム状で中部と周辺部とよりなる基部と、前記基部の中部内側面上に縦方向に左右間隔をおいて固着されたプラスチック製の細幅縦筋状の補強部と、前記補強部及び前記基部の周辺部の各内側面上に渡って粘着されている表面部とを備え、左右方向には柔軟に変形可能で且つ上下方向には剛性を有する患部固定材により解決した。
請求項２の発明にあっては、表面部は補強部内側面上に粘着される補強部粘着剤層、基部の周辺部内側面上に粘着される基部粘着剤層及び前記補強部粘着剤層と前記基部粘着剤層を被覆する剥離紙よりなり、所定形状の板状とされている請求項１に記載の患部固定材とすることができる。
請求項３の発明にあっては、基部として中部と周辺部に加えて該周辺部の上端に連設され幅狭の把手状に突出する先端部を設け、前記先端部内側面上に前記基部の周辺部から渡って粘着されている表面部を備えている請求項１又は２に記載の患部固定材とすることができる。
請求項４の発明にあっては、表面部は補強部内側面上に粘着される補強部粘着剤層及び基部の周辺部内側面上に粘着される基部粘着剤層のみよりなり、基部を外面側において巻芯回りにロール状に巻取られている請求項１に記載の患部固定材とすることができる。
請求項５の発明にあっては、基部と補強部との固着は、中部の内側面上に接着剤層を介しての接着又は一体成形によりなされている請求項１〜４のいずれかに記載の患部固定材とすることができる。
【０００５】
【発明の実施の形態】
本発明の実施の形態を図面を参照して説明する。
図１は、本発明の患部固定材の第１例の概略正面図、概略断面図及び概略使用説明図である。図２は、本発明の患部固定材の第２例の概略正面図、概略断面図及び概略使用説明図である。
以下においては、本発明の患部固定材の使用時に、図１、２に示す通り、例えば指等の患部に接する側を内側とし、外部に露出する側を外側とし、内側から外側に向かって見て指先等を上側としその反対側を下側とし、巻付ける方向を左右又は横方向とし、上下方向を縦方向として説明する。又各例の構成要素のうち共通するものは、同一符号を用い、一部省略してあり、詳細説明は最初部分においてのみ行っている。
【０００６】
先ず図１に示す本発明第１例の患部固定材１について説明する。
患部固定材１は、基部１１と、補強部１２と、表面部１３と、接着剤層１４とを有している。ここで、明瞭化のため表面部１３は、図１（ａ）においては記載せず、図１（ｂ）（ｃ）において記載して示してある。
基部１１は、下記（イ）乃至（ハ）のシート又はフィルム状の素材が用いられ、形状は所定寸法の方形状又は長尺テープ状にとられ、厚さｔは通常０．３ｍｍ〜１．０ｍｍにとるのが好ましい。ここで基部１１は、内側に後述する補強部１２が固着される方形状の中部１１ａと、該中部１１ａの周囲を囲繞する略回字状の補強部１２を有しない周辺部１１ｂとで連続して形成されている。基部１１の素材は、通常の絆創膏と同じ素材であるが、固さを僅かにもたせた方が好ましい。又基部１１を用途の必要に応じて伸縮性をもたせたり、防水性をもたせてたりすることができる。基部１１の大きさは固定を必要とする各患部の形、大きさ、長さ等に対応可能なように各種のものが選択される。
（イ）レーヨン、綿、アセテート、ポリエステル、ナイロン若しくはビニロン等の単独又は混紡の織布。
（ロ）レーヨン、ポリエステル又はポリプロピレン等の不織布
（ハ）ポリ塩化ビニル、ポリエチレン、ポリエステル、ポリプロピレン若しくはナイロン等のプラスチックのシート又はフィルム。セロハン、アセテート等のシート又はフィルム。
前記（イ）乃至（ハ）の素材は、単層又は積層のいずれでもよく、又安定剤、充填剤、帯電防止剤、着色剤等を必要により添加してもよい。又表面に図柄や色彩を施して美観をもたせることとしてもよい。
補強部１２は、ポリ塩化ビニル、ポリエチレン、ポリエステル、ポリプロピレン、ナイロン等のプラスチック製で、断面が略方形の細幅縦筋状で左右間隔をおいてほぼ等ピッチに形成され、基部１１の中部１１ａの内側表面に接着剤層１４を介して強固に固着されている。ここでの接着剤層１４としては樹脂系、ゴム系、その他の汎用の接着剤が用いられる。又、図１（ｅ）に示す如く、接着剤層１４をおかずに、基部１１と補強部１２とを同じプラスチック製として一体成形によって得ることとしてもよい。各部寸法は、通常高さａは０．３ｍｍ〜５．０ｍｍ、左右幅ｂは２．０ｍｍ〜１０．０ｍｍ、左右間隔ｃは２．０ｍｍ〜５．０ｍｍにとるのが好ましい。但し、これに限定されず、各患部の症状に合わせて形態寸法を変更させても良い。
表面部１３は、剥離紙１３ａ、補強部粘着剤層１３ｂ及び基部粘着剤層１３ｃとからなり、中部１１ａに固着されている各補強部１２の内側面上に平坦状に渡って粘着剤によって粘着された補強部粘着剤層１３ｂと周辺部１１ｂの内側面上に平坦状に渡って粘着剤によって粘着された基部粘着剤層１３ｃとの各内側表面上を同じ剥離紙１３ａによって被覆し、補強部粘着剤層１３ｂ及び基部粘着剤層１３ｃを外界より保護し且つ使用時には粘着面から容易に剥離可能とされる。剥離紙１３ａの材質は、例えばシリコーン離型処理された紙や、ポリエチレン、ポリエステル、ポリプロピレンのフィルム等が用いられる。補強部粘着剤層１３ｂ及び基部粘着剤層１３ｃに用いられる粘着剤としては、例えばアクリル系、ゴム系、シリコーン系等があるが、耐水性、皮膚への低刺激性、低コスト等からアクリル系粘着剤が好ましい。
本例は、内側表面上に剥離紙１３ａを用い、最終使用形態として通常所定寸法の平坦な板状の形態で用いられる。
【０００７】
次に図２に示す本発明第２例の患部固定材２について説明する。
患部固定材２は、基部２１と、補強部１２と、表面部２３と、接着剤層１４とを有している。
基部２１は、前記基部１１と同様の素材を用い、前記中部１１ａと同様の方形状の中部２１ａ及び周辺部１１ｂと同様の略回字状の周辺部２１ｂと、周辺部２１ｂの上端よりテーパー状に連設し略中央部に幅狭で把手状に突出する先端部２１ｃとを有している。付加構成として周辺部２１ｂの一方（本例では右）下隅部に斜めの切込み２１ｄを入れるのが好ましい。
補強部１２は、中部２１ａに前記１１ａと同様に設けられ、中部２１ａの内側表面に接着剤層１４を介して強固に固着されている。接着剤層１４をおかずに、基部１１と補強部１２とを同じプラスチック製として一体成形によって得ることとしてもよい。
表面部２３は、図２（ａ）に示す直線状の二点鎖線より下側の中部２１ａ及び周辺部２１ｂに対応する下側部分と、該二点鎖線より上側の先端部２１ｃに対応する上側部分とからなり、下側部分には補強部粘着剤層２３ｂが前記患部固定材１における補強部粘着剤層１３ｂと同様に設けられ、基部粘着剤層２３ｃは下側部分の補強部粘着剤層２３ｂを除く部分及び上側部分の全体に設けられ、補強部粘着剤層２３ｂ及び基部粘着剤層２３ｃ全面に渡って剥離紙２３ａが被覆されている。この結果、下側部分のみをみると、前記図１（ａ）、（ｂ）、（ｃ）における剥離紙１３ａ、補強部粘着剤層１３ｂ及び基部粘着剤層１３ｃと同様の構成であり、それに患部固定材２では上側部分が付加されており、二点鎖線に沿って基部を含めて切断すれば、患部固定材１と同様に使用可能である。
本例は、内側表面上に剥離紙２３ａを用い、最終使用形態として平坦な板状の形態で用いられる。
【０００８】
次に、図１（ｄ）により患部固定材１の使用法を説明する。
一例として右手Ａの中指Ｂの関節が骨折等の怪我をした場合に、患部固定材１を用い、表面材１３の剥離紙１３ａを剥がし補強部粘着剤層１３ｂ及び基部粘着剤層１３ｃを露出させ中指Ｂの患部に当てる。このとき、患部固定材１の左右方向を中指Ｂの周囲方向に、患部固定材１の縦方向を中指Ｂの長手方向において、患部固定材１を患部を囲繞するように継ぎ目を重ねて巻付け、補強部粘着剤層１３ｂ及び基部粘着剤層１３ｃの粘着剤によって患部に患部固定材１が粘着され、補強部１２と併せて患部が固定保持される。
もし患部に傷があればその部分を薬で治療し、ガーゼ、包帯等を施したり、消炎のため湿布薬を塗布したりするが、このときにガーゼ、包帯又は湿布薬の部分の大きさを補強部粘着剤層１３ｂの範囲内にあるように選択し、粘着剤がガーゼ、包帯又は湿布薬等によって遮蔽され患部と直接接することが妨げられるものの、基部粘着剤層１３ｃの粘着剤は露出状態にあるので患部周辺に直接粘着して患部固定材１が確実に中指Ｂに粘着され患部を固定保持することが可能である。又、ガーゼ、消炎剤等が最初から患部固定材に施されている態様でも良い。
他方図１（ｄ）に示す手首Ｃに患部固定材１を用いる場合には、前記中指Ｂに使用したものより左右幅の広いものを選び前記中指Ｂの場合と同様にして手首Ｃに巻付け患部を固定保持する。
患部固定材１は、補強部１２により左右方向には柔軟に変形でき且つ上下方向には適度の剛性を有しており、且つ、表面部の補強部及び前記基部の周辺部の各内側面上に渡って粘着剤層１３ｂ，１３ｃが形成されるので、該粘着剤層１３ｂ，１３ｃが指等の患部と補強部１２とをいわば結束固定する形態となる。この結果、指等の患部と結束固定された補強部１２の剛性は、それ単独の有する剛性より数段強いものとなる。
又、患部に確実に巻付けこの部位を固定することができるので、患部の部位、大きさ又は形等が変わっても柔軟に対応でき、表面が膨れることもない。さらに副木、ギブス包帯を用いる等の他の部材、工程を要せず手間がかからず使い勝手に優れている。
【０００９】
次に、図２（ｂ）（ｃ）により患部固定材２の使用法を説明する。
患部固定材２は、特に手洗い等で水を使用するとき、患部に侵入することを防止する必要がある場合に好適であり、前記図１（ｄ）と同様に例として右手Ａの中指Ｂに怪我をした場合で説明する。
患部固定材２を用い、患部固定材２の上下長さを中指Ｂの患部上下大きさに合わせて切断しておき、表面部２３の剥離紙２３ａを剥がし、先ず上側部分を二点鎖線より折曲げて中指Ｂの先端爪部に当てた後、下側部分を左右より中指Ｂの患部を包むように当て、患部固定材２の左右方向を中指Ｂの周囲方向に、患部固定材２の縦方向を中指Ｂの長手方向において患部を囲繞するように継ぎ目を重ねて巻付け、露出した補強部粘着剤層２３ｂ及び基部粘着剤層２３ｃの粘着剤により、図２（ｂ）（ｃ）に示す様に隙間なく患部に患部固定材１２が粘着され、補強部１２と併せて患部が固定保持される。
付加構成として周辺部２１ｂ下隅部に斜めの切込み２１ｄを入れてあると、患部に巻付けたとき指の太さによって継ぎ目の重なりのずれが生ずるのを調整し易く好ましい。
又基部１１に防水性をもたせてあるとより完全に防水が可能である。このとき、防水性及び通気性を兼ね備えるのが好ましく、例えば、エントラント（登録商標）等の透湿性防水加工素材を利用することことことできる。
患部固定材２は、患部固定材１の利点に加えて患部に水が侵入することを簡易且つ効果的に防止することができる。
【００１０】
前記した本発明第１例の患部固定材１の変形例として、基部１１を中部１１ａ周囲を囲繞するのではなく、中部１１ａの左右又は上下にのみ周辺部１１ｂを残す構成としてもよい。このときは、患部を薬で治療し、ガーゼ、包帯等を施したり、消炎のため湿布薬を塗布する場合においては、前記した中部１１ａを囲繞する周辺部１１ｂを有する患部固定材１に比して患部との粘着力が相対的に少ないので、用途を考慮して選択するのが好ましい。
補強部１２は、プラスチック製で、断面が略方形の細幅縦筋状で左右間隔をおいてほぼ等ピッチに形成されているが、断面は略台形、略鼓形、円弧等の湾曲形状又これらから僅かに変形したりしてもよいが、製造面、コスト面、使い勝手面等よりして前記略方形とするのが最も好ましい。前記本発明第２例の患部固定材２についてもこの補強部１２の変形例を適用することができる。
表面部１３は、剥離紙１３ａ、補強部粘着剤層１３ｂ及び基部粘着剤層１３ｃとからなり、患部固定材１は最終使用形態として平坦な板状の形態で用いられるが、図示しないが剥離紙１３ａを用いず補強部粘着剤層１３ｂ及び基部粘着剤層１３ｃのみからなり、最終使用形態として基部を外面側において巻芯回りに巻取ったロール状の形態で用いることもできる。
本発明患部固定材は、これ単独で使用しても良いこと勿論であるが、従来の金属製副木の使用後に用いる等しても良く、患部の治療状態に合わせて選択的に使用することができる。
【００１１】
【発明の効果】
本発明の患部固定材によれば、簡易な構造で、患部に確実に巻付け固定することができ、患部の部位、大きさ又は形等が変わっても柔軟に対応でき、従来の患部の周囲に副木を当て、テープを回して包帯を巻き付ける等の複数の部材及び複数の工程を要せず手間がかからない使い勝手に優れ、表面が膨れることもない。
又他の患部固定材によれば、水を使用するとき患部に侵入することを防止し日常生活の支障となることがない。
【図面の簡単な説明】
【図１】本発明の患部固定材の第１例について、（ａ）概略正面図、（ｂ）Ｘ・Ｘ概略断面図、（ｃ）（ｂ）の一部拡大図、（ｄ）概略使用説明図である。
【図２】本発明の患部固定材の第２例について、（ａ）概略正面図、（ｂ）Ｙ・Ｙ概略断面図、（ｃ）及び（ｄ）概略使用説明図である。
【符号の説明】
１、２    患部固定材
１１、２１    基部
１１ａ、２１ａ    中部
１１ｂ、２１ｂ    周辺部
２１ｃ    先端部
１２    補強部
１３、２３    表面部
１３ａ、２３ａ    剥離紙
１３ｂ、２３ｂ    補強部粘着剤層
１３ｃ、２３ｃ    基部粘着剤層
１４    接着剤層
【図１】
2004261398.tif 000003
【図２】
2004261398.tif 000004